(57)【要約】【課題】  液晶表示装置を表示する場合に，液晶表示パネル内の位置による輝度偏差を低減することができる，液晶表示装置及びその駆動方法を提供する。【解決手段】  複数のデータ線と，データ線と交差して延在し，第１グループの走査線及び第２グループの走査線からなる複数の走査線と，第１グループの走査線の第１方向に，走査信号を順次に印加する第１走査ドライバと，第１走査ドライバが第１グループの走査線に走査信号を印加した後に，第２グループの走査線の第２方向に，走査信号を順次に印加する第２走査ドライバと，データ線及び走査線によって定義される複数の画素領域の各々に，第１光，第２光及び第３光を順次に出力する光源とを備え，各グループの隣接する走査線間に発生する輝度差が空間的に混色になるので，パネル内の時間的に離れた走査線の間の輝度偏差を低減することができる。【選択図】    図５
2006139248.tif 000002
【特許請求の範囲】
【請求項１】
一方向に延在し，画像を表示するデータ電圧を伝達する複数のデータ線と，
前記データ線と交差して延在し，少なくとも第１グループの走査線及び第２グループの走査線からなる複数の走査線と，
前記第１グループの走査線の第１方向に，走査信号を順次に印加する第１走査ドライバと，
前記第１走査ドライバが前記第１グループの走査線に走査信号を印加した後に，前記第２グループの走査線の第２方向に，走査信号を順次に印加する第２走査ドライバと，
前記データ線及び前記走査線によって定義される複数の画素領域の各々に，第１光，第２光及び第３光を順次に出力する光源と，
を備えることを特徴とする液晶表示装置。
【請求項２】
前記第１グループの走査線は奇数番目の走査線であり，前記第２グループの走査線は偶数番目の走査線であることを特徴とする，請求項１に記載の液晶表示装置。
【請求項３】
前記第２方向は，前記第１方向と同一方向であることを特徴とする，請求項２に記載の液晶表示装置。
【請求項４】
前記第２方向は，前記第１方向と反対方向であることを特徴とする，請求項２に記載の液晶表示装置。
【請求項５】
前記第１及び第２走査ドライバは，複数のラッチを有しており，
前段ラッチの出力が後段ラッチの入力となって，第１制御信号によって前記前段ラッチの出力信号をシフトして出力する第１グループのラッチと，
前段ラッチの出力が後段ラッチの入力となって，第２制御信号によって前記前段ラッチの出力信号をシフトして出力する第２グループのラッチと，
を備えることを特徴とする，請求項１〜４のいずれかに記載の液晶表示装置。
【請求項６】
前記第１及び第２制御信号は，前記出力信号のシフト方向を決める信号であることを特徴とする，請求項５に記載の液晶表示装置。
【請求項７】
前記第１グループのラッチは奇数番目の走査線に印加される走査信号を出力するラッチであり，前記第２グループのラッチは偶数番目の走査線に印加される走査信号を出力するラッチであることを特徴とする，請求項６に記載の液晶表示装置。
【請求項８】
前記第１及び第２グループのラッチは，互いに分離されていることを特徴とする，請求項７に記載の液晶表示装置。
【請求項９】
前記第１，第２及び第３光は，各々，赤，緑及び青であることを特徴とする，請求項１〜８のいずれかに記載の液晶表示装置。
【請求項１０】
画像を表示するデータ電圧を伝達する複数のデータ線と，走査信号を伝達する複数の走査線と，前記データ線及び前記走査線によって定義される複数の画素領域とを備える液晶表示装置の駆動方法において；
１つのフレームは，第１光，第２光及び第３光を各々印加する第１フィールド，第２フィールド及び第３フィールドに分割して順次駆動され，前記複数の走査線は，少なくとも第１グループの走査線及び第２グループの走査線に分割され，前記第１〜第３フィールドのうちの少なくとも１つのフィールドで，
前記第１グループの走査線の第１方向に，走査信号を順次印加する段階と，
前記第１グループの走査線に走査信号が印加された後，前記第２グループの走査線の第２方向に，走査信号を順次印加する段階と，
を含むことを特徴とする，液晶表示装置の駆動方法。
【請求項１１】
第１グループの走査線は奇数番目の走査線であり，第２グループの走査線は偶数番目の走査線であることを特徴とする，請求項１０に記載の液晶表示装置の駆動方法。
【請求項１２】
前記第２方向は，前記第１方向と同一方向であることを特徴とする，請求項１１に記載の液晶表示装置の駆動方法。
【請求項１３】
前記第２方向は，前記第１方向と反対方向であることを特徴とする，請求項１１に記載の液晶表示装置の駆動方法。
【発明の詳細な説明】
【技術分野】
【０００１】
本発明は，データ線と走査線とによって定義される画素領域に画素回路が形成される液晶表示装置（Ｌｉｑｕｉｄ  Ｃｒｙｓｔａｌ  Ｄｉｓｐｌａｙ：ＬＣＤ）及びその駆動方法に関する。
【背景技術】
【０００２】
近来パソコンやテレビなどの軽量化及び薄形化によってディスプレイ装置も軽量化及び薄形化が要求されており，このような要求に応じて陰極線管（Ｃａｔｈｏｄｅ  Ｒａｙ  Ｔｕｂｅ：ＣＲＴ）の代わりにＬＣＤのようなフラットパネル形ディスプレイが開発されている。
【０００３】
ＬＣＤは，対向する両基板の間に注入されている異方性誘電率を有する液晶物質に電界を印加し，この電界の強さを調節して外部の光源（バックライト）から基板に透過する光量を調節することによって所望の画像を得る表示装置である。
【０００４】
このようなＬＣＤは，携帯が簡便な平板パネル形ディスプレイの中で代表的なものであって，この中でも薄膜トランジスタ（Ｔｈｉｎ  Ｆｉｌｍ  Ｔｒａｎｓｉｓｔｏｒ：ＴＦＴ）をスイッチング素子として利用したＴＦＴ−ＬＣＤが主に利用されている。
【０００５】
ＴＦＴ−ＬＣＤの各画素は，液晶を誘電体とするキャパシタ，つまり液晶キャパシタとしてモデリングできる。ＬＣＤは複数のデータ線と複数の走査線によって定義される複数の画素領域に画素回路が形成されており，各画素回路は，データ線と走査線に各々ソース電極とゲート電極が連結されるＴＦＴ，及び，このＴＦＴのドレイン電極と共通電圧線の間に連結される液晶キャパシタを含む。
【０００６】
このようなＬＣＤは，カラー画像を表示する方式に応じてカラーフィルター方式とフィールド順次駆動方式との２種類方式に分けることができる。カラーフィルター方式のＬＣＤは，両基板のうちの一つの基板に赤（Ｒ），緑（Ｇ），青（Ｂ）の３原色からなるカラーフィルター層を形成し，各色カラーフィルター層を含む光路の透過率を調節し，送出されるＲＧＢ各色を合成することによって所望のカラー画像を表示する。
【０００７】
このようにバックライトと３色カラーフィルター層を利用して画像を表示するＬＣＤは，ＲＧＢ各色領域に各々対応する単位画素が必要であるために，白黒を表示する場合の３倍もの画素が必要となる。したがって，高解像度の画像を得るためには液晶表示装置パネルの精巧な製造技術が要求される。また，カラーフィルター方式のＬＣＤは基板に別途のカラーフィルター層を形成しなければならない製造上の面倒さがあり，カラーフィルター自体の光透過率が低いため輝度が低くなってしまう。
【０００８】
これに反し，フィールド順次駆動方式のＬＣＤは，ＲＧＢ各色の独立した光源を順次且つ周期的に点灯し，その点灯周期に同期して各画素に対応する色信号を印加することによってフルカラーの画像を得る。つまり，フィールド順次駆動方式のＬＣＤは，一つの画素をＲＧＢ各色単位画素に分割せず，一つの画素にＲＧＢ各色バックライトから出力されるＲＧＢ３原色の光を時分割的に順次表示することによって目の残像効果を利用して画像を形成するものである。
【０００９】
このようなフィールド順次方式のＬＣＤの動作について，図１及び図２を参照して説明する。図１は従来フィールド順次駆動方式ＬＣＤの駆動波形図であり，図２は図１に示された駆動波形による液晶透過度を示した説明図である。ここで，液晶は液晶キャパシタに対応する。
【００１０】
従来のフィールド順次駆動方式ＬＣＤは，一つのフレームがＲフィールド，Ｇフィールド及びＢフィールドに分割されて駆動される。そして各フィールドでは複数の走査線Ｓ１〜Ｓｎに走査信号が順次に印加されて，ＴＦＴが導通すれば当該データ線Ｄ１〜Ｄｍに供給されたデータ電圧がＴＦＴを通じて各画素電極（図示省略）に印加される。
【００１１】
その結果，画素電極に印加される画素電圧と共通電圧の差に相当する電界が液晶キャパシタに印加されて，この電界の強さに対応する透過率で光が透過する。図１では複数のデータ線Ｄ１〜Ｄｍのうちのｊ番目データ線Ｄｊにデータ電圧を印加することを示しており，Ｒフィールド，Ｇフィールド及びＢフィールドのうちの一つのフィールドのみを示した。
【００１２】
一般に液晶に電圧を印加すれば液晶の配列が変わるが，液晶の配列変化によって光透過度が変わる。ここで，光透過度とは液晶に光が印加される場合，印加された光に対する透過比率を意味する。つまり，液晶が光を透過させることができる偏光程度を意味する。
【発明の開示】
【発明が解決しようとする課題】
【００１３】
しかし，フィールド順次駆動方式ＬＣＤの特性上デジタル駆動を適用する場合，液晶の光透過度が一定に維持される定常状態が存在しない。したがって，図１に示された駆動方法のように走査信号が各走査線に順次に印加されてバックライトＬＥＤの光が全走査線に印加されれば，図２に示したように，液晶の光透過度が一定に維持されることはなく，時間遅延した形態で差異が発生する。その結果，液晶表示パネル内の位置によって輝度偏差が発生する問題があった。
【００１４】
そこで，本発明は，このような問題に鑑みてなされたもので，その目的とするところは，液晶表示装置を表示する場合に，液晶表示パネル内の位置による輝度偏差を低減することができる，液晶表示装置及びその駆動方法を提供することにある。
【課題を解決するための手段】
【００１５】
上記課題を解決するために，本発明のある観点によれば，一方向に延在し，画像を表示するデータ電圧を伝達する複数のデータ線と，データ線と交差して延在し，第１グループの走査線及び第２グループの走査線からなる複数の走査線と，第１グループの走査線の第１方向に，走査信号を順次に印加する第１走査ドライバと，第１走査ドライバが第１グループの走査線に走査信号を印加した後に，第２グループの走査線の第２方向に，走査信号を順次に印加する第２走査ドライバと，データ線及び走査線によって定義される複数の画素領域の各々に，第１光，第２光及び第３光を順次に出力する光源と，を備えることを特徴とする液晶表示装置が提供される。
【００１６】
複数の走査線を，少なくとも第１グループの走査線及び第２グループの走査線に分割し，第１グループの走査線には第１走査ドライバが順次走査信号を印加し，第１グループの走査線に走査信号が印加された後に，第２グループの走査線には第２走査ドライバが順次走査信号を印加することにより，各グループの隣接する走査線間に発生する輝度差が空間的に混色になって，各グループの離れた走査線間の輝度偏差を低減することができる。
【００１７】
第１グループの走査線は奇数番目の走査線であり，第２グループの走査線は偶数番目の走査線であることができる。これにより，例えば，従来，第１番目と第２番目の走査線間に発生する輝度差は，第１番目と第３番目の走査線間に発生することになり，輝度差を減少させることができる。
【００１８】
ここで，第２方向は，第１方向と同一方向であってもよいし，第２方向は，第１方向と反対方向であってもよい。同一方向であれば，第１番目の走査線と最後の走査線との輝度差を従来の駆動方法による輝度差の半分に減らすことができ，反対方向であれば，第１番目の走査線と最後の走査線との輝度差を完全に除去することができる。
【００１９】
上記の第１グループの走査線及び第２グループの走査線に走査信号を印加するための，第１及び第２走査ドライバは，複数のラッチを有しており，前段ラッチの出力が後段ラッチの入力となって，第１制御信号によって前記前段ラッチの出力信号をシフトして出力する第１グループのラッチと，前段ラッチの出力が後段ラッチの入力となって，第２制御信号によって前段ラッチの出力信号をシフトして出力する第２グループのラッチと，を備えることができる。
【００２０】
ここで，第１及び第２制御信号は，出力信号のシフト方向を決める信号であることができる。第１及び第２制御信号が，高レベルであるか，または低レベルであるかによって，上から下の方向に走査信号がシフトされるか，または，下から上の方向に走査信号がシフトされることができる。
【００２１】
第１グループのラッチは奇数番目の走査線に印加される走査信号を出力するラッチであり，第２グループのラッチは偶数番目の走査線に印加される走査信号を出力するラッチであることができる。これにより，第１グループの走査線は奇数番目の走査線とし，第２グループの走査線は偶数番目の走査線として走査することができる。
【００２２】
第１及び第２グループのラッチは，互いに分離されていることができ，第１グループの走査線及び第２グループの走査線を別々に走査することができる。
【００２３】
第１，第２及び第３光は，各々，赤，緑及び青であることができ，一つの画素に各色バックライトから出力される３原色の光を時分割的に順次表示することによって目の残像効果を利用してフルカラーの画像を形成することができる。
【００２４】
画像を表示するデータ電圧を伝達する複数のデータ線と，走査信号を伝達する複数の走査線と，データ線及び走査線によって定義される複数の画素領域とを備える液晶表示装置の駆動方法において；１つのフレームは，第１光，第２光及び第３光を各々印加する第１フィールド，第２フィールド及び第３フィールドに分割して順次駆動され，複数の走査線は，少なくとも第１グループの走査線及び第２グループの走査線に分割され，第１〜第３フィールドのうちの少なくとも１つのフィールドで，
第１グループの走査線の第１方向に，走査信号を順次印加する段階と，
第１グループの走査線に走査信号が印加された後，第２グループの走査線の第２方向に，走査信号を順次印加する段階と，
を含むことを特徴とする，液晶表示装置の駆動方法が提供される。
【００２５】
複数の走査線を，少なくとも第１グループの走査線及び第２グループの走査線に分割し，第１グループの走査線の第１方向に順次走査信号を印加し，その後，第２グループの走査線の第２方向に順次走査信号を印加することにより，各グループの隣接する走査線間に発生する輝度差が空間的に混色になり，離れた走査線間の輝度偏差を低減することができる。
【００２６】
第１グループの走査線は奇数番目の走査線であり，第２グループの走査線は偶数番目の走査線である。これにより，例えば，従来，第１番目と第２番目の走査線間に発生する輝度差は，第１番目と第３番目の走査線間に発生することになり，輝度差を減少させることができる。
【００２７】
第２方向は，第１方向と同一方向であってもよいし，第２方向は，第１方向と反対方向であってもよい。同一方向であれば，第１番目の走査線と最後の走査線との輝度差を従来の駆動方法による輝度差の半分に減らすことができ，反対方向であれば，第１番目の走査線と最後の走査線との輝度差を完全に除去することができる。
【発明の効果】
【００２８】
以上詳述したように本発明によれば，複数の走査線を第１グループ及び第２グループの走査線に分け，第１グループの走査線に走査信号を印加した後，第２グループの走査線に走査信号を印加することによって，各グループの隣接する走査線間に発生する輝度差が空間的に混色になるので，パネル内の時間的に離れた走査線の間の輝度偏差を低減することができるものである。
【発明を実施するための最良の形態】
【００２９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３０】
本実施の形態による液晶表示装置及びその駆動方法について図面を参照して説明する。まず，図３は本実施の形態によるフィールド順次方式の液晶表示装置を示す説明図である。図３に示したように，本実施の形態によるフィールド順次方式の液晶表示装置は，液晶表示パネル１００，第１走査ドライバ２００及び第２走査ドライバ３００，データドライバ４００，タイミング制御器５００，階調電圧発生部６００，光源制御器７００及び発光ダイオード８００ａ，８００ｂ，８００ｃを備える。
【００３１】
液晶表示パネル１００は縦方向に伸びている複数のデータ線Ｄ１〜Ｄｍ，横方向に伸びている複数の走査線Ｓ１〜Ｓｎ及び複数の画素回路１１０を備える。走査線Ｓ１〜Ｓｎは画素回路を選択するための走査信号を画素回路１１０に伝達する。この時，本実施の形態によれば，複数の走査線Ｓ１〜Ｓｎは第１グループ及び第２グループの走査線に分割される。そして例えば，複数の走査線のうちの奇数の走査線は第１グループに含まれ，偶数の走査線は第２グループに含まれる。データ線Ｄ１〜Ｄｍは階調データに相当するデータ電圧を画素回路１１０に伝達する。そしてデータ線Ｄ１〜Ｄｍと走査線Ｓ１〜Ｓｎによって定義される（又は，定められる）画素領域に画素回路１１０が形成されている。
【００３２】
第１走査ドライバ２００は，第１グループの走査線に走査信号を順次に印加する。第２走査ドライバ３００は第２グループの走査線に走査信号を順次に印加する。この時，本実施の形態によれば，第２走査ドライバ３００は，第１走査ドライバ２００によって第１グループの走査線に走査信号が全て印加された後，第２グループの走査線に走査信号を印加する。
【００３３】
また，データドライバ４００はデータ線にデータ電圧を印加する。さらに，タイミング制御器５００は，外部またはグラフィック制御器（図示せず）から，第１光，第２光及び第３光である赤，緑，青各色の階調データ信号Ｒ，Ｇ，Ｂ  ＤＡＴＡ，水平同期信号Ｈｓｙｎｃ，垂直同期信号Ｖｓｙｎｃを受信して必要な制御信号Ｓｇ，Ｓｇ，Ｓｄ，Ｓｂを各々第１，第２走査ドライバ２００，３００，データドライバ４００及び光源制御器７００に伝達し，バッファ増幅した階調データ信号Ｒ，Ｇ，Ｂ  ＤＡＴＡを階調電圧発生部６００に伝達する。
【００３４】
階調電圧発生部６００は階調データに相当する大きさを有するアナログ階調電圧を生成してデータドライバ４００に伝達する。光源制御器７００は発光ダイオード８００ａ，８００ｂ，８００ｃの点灯時期を制御する。発光ダイオード８００ａ，８００ｂ，８００ｃは各々Ｒ，Ｇ，Ｂに相当する光を液晶表示パネル１００に出力する。本実施の形態ではバックライトとして発光ダイオード８００ａ，８００ｂ，８００ｃを使用したが，本発明がこれに限られるわけではなく，各原色を発光する蛍光灯を使ってもよい。
【００３５】
図４は本実施の形態による液晶表示装置の画素回路図である。図４ではｊ番目データ線Ｄｊ及びｉ番目走査線Ｓｉに連結された画素回路を示した。図４に示したように，本実施の形態による画素回路１１０は，ＴＦＴ１０及び液晶キャパシタＣ１を含む。
【００３６】
ＴＦＴ１０のソース電極とゲート電極とは，各々データ線Ｄｍと走査線Ｓｎに各々連結され，データ線Ｄｊに供給されたデータ電圧Ｖｄを画素電極（図示せず）に印加する。そして液晶キャパシタＣ１はＴＦＴ１０のドレイン電極と共通電圧Ｖｃｏｍとの間に連結されて画素電極に印加される画素電圧Ｖｐと共通電圧Ｖｃｏｍの差に相当する電界の強さに対応する透過率で光を透過させる。
【００３７】
以下では液晶表示パネル１００の輝度偏差を除去することができる第１の実施の形態について図５及び図６を参照して詳細に説明する。図５は第１の実施の形態による液晶表示装置の駆動タイミング図であり，図６は図５に示された駆動タイミングを生成するための液晶表示装置の走査ドライバを示す図面である。図６でｎは偶数と仮定した。
【００３８】
まず，図６に示したように，第１ドライバ２００及び第２走査ドライバ３００は，各々複数のラッチＬａｔｃｈ［１］〜Ｌａｔｃｈ［ｎ］及び複数のバッファＢｕｆｆｅｒ［１］〜Ｂｕｆｆｅｒ［ｎ］を含む。ラッチＬａｔｃｈ［１］〜Ｌａｔｃｈ［ｎ−１］はクロックＣＬＫ信号をラッチしてそのまま端子ＯＵＴから出力し，出力信号，つまり走査パルスをシフトさせる役割を果たす。
【００３９】
ラッチＬａｔｃｈ［１］〜Ｌａｔｃｈ［ｎ−１］は，縦方向奇数番目に位置するラッチラッチＬａｔｃｈ［１］〜Ｌａｔｃｈ［ｎ−１］と縦方向偶数番目に位置するラッチＬａｔｃｈ［２］〜Ｌａｔｃｈ［ｎ］とに分離されており，ｉ番目ラッチＬａｔｃｈ（ｉ）の出力信号が（ｉ＋２）番目ラッチＬａｔｃｈ（ｉ＋２）の入力信号となり，ｉ＋１番目ラッチＬａｔｃｈ（ｉ＋１）の出力信号が（ｉ＋３）番目ラッチＬａｔｃｈ（ｉ＋３）の入力信号となる。ここで，ｉは１からｎの間の整数であり，奇数番目に位置するラッチＬａｔｃｈ［１］〜Ｌａｔｃｈ［ｎ−１］を第１グループのラッチと定義し，偶数番目に位置するラッチＬａｔｃｈ［２］〜Ｌａｔｃｈ［ｎ］を第２グループのラッチと定義することができる。
【００４０】
この時，ＵＤＡ（Ｕｐ  Ｄｏｗｎ  Ａ）信号（第１制御信号）及びＵＤＢ（Ｕｐ  Ｄｏｗｎ  Ｂ）信号（第２制御信号）は，Ｕ／Ｄ端子に入力され，各走査線に印加される走査パルスのシフト方向を決める。ＵＤＡ信号は第１グループのラッチから出力される走査パルスの方向を制御し，ＵＤＢ信号は第２グループのラッチから出力される走査パルスの方向を制御する。
【００４１】
つまり，ＵＤＡ及びＵＤＢが高レベルである時はＤＩＵ（Ｄｉｇｉｔａｌ  Ｉｎｐｕｔ  Ｕｐ）がラッチの入力端子となって，上から下の方向（第１方向）に走査パルスがシフトされ，ＵＤＡ及びＵＤＢが低レベルである時はＤＩＤ（Ｄｉｇｉｔａｌ  Ｉｎｐｕｔ  Ｄｏｗｎ）がラッチの入力端子となって下から上の方向（第２方向）に走査パルスがシフトされる。ここで，下から上の方向は液晶表示パネル１００の上端から下端の方向を意味する。
【００４２】
そしてラッチＬａｔｃｈ［１］〜Ｌａｔｃｈ［ｎ−１］の出力端子ＯＵＴＢは走査パルスを反転させて出力し，これはバッファＢｕｆｆｅｒ［１］〜Ｂｕｆｆｅｒ［ｎ］に伝達されて端子ＩＮから入力し，この信号を再び反転させて出力する。バッファＢｕｆｆｅｒ［１］〜Ｂｕｆｆｅｒ［ｎ］はイネイブルＥＮの信号を端子ＥＮから受信して，ラッチＬａｔｃｈ［１］〜Ｌａｔｃｈ［ｎ］の出力信号ＯＵＴＢを反転させた後，増幅して端子ＧＯＵＴから出力し，バッファＢｕｆｆｅｒ［１］〜Ｂｕｆｆｅｒ［ｎ］の出力信号ＯＵＴ（１）〜ＯＵＴ（ｎ）が走査線に印加される走査信号となる。
【００４３】
このような機能をするラッチ回路は簡単な論理回路で容易に実現することができ，図６に示されたラッチ回路に限定されず，他の論理回路でも実現することができる。
【００４４】
上述した方法で図５のように第１グループの走査線に高レベルのパルスを有する走査信号を生成して順次に印加し，第２グループの走査線に高レベルのパルスを有する走査信号を生成して順次に印加する。
【００４５】
次に，図５を参照して本実施の形態による液晶表示装置の動作について詳細に説明する。図５に示したように，本実施の形態による液晶表示装置は，一つのフレームを第１〜３フィールド，例えばＲフィールド，Ｇフィールド及びＢフィールドに分けて駆動し，各フィールドはまず，第１グループの走査線に走査信号が上から下の方向に順次に印加されてＴＦＴ１０を導通させる。
【００４６】
その後，当該データ電圧がデータ線に印加されてＴＦＴ１０を通って画素電極に印加される。そして第１グループの走査線のうちの最後の走査線まで走査信号が印加された後，第２グループの走査線に走査信号を上から下の方向に順次に印加する。このように第２グループの走査線に走査信号が順次に印加されれば，ＴＦＴ１０が導通して当該データ電圧がデータ線に印加されてＴＦＴ１０を通じて画素電極に印加される。図５ではＲフィールド，Ｇフィールド及びＢフィールドのうちの一つのフィールドのみを示した。
【００４７】
このようにしてＲフィールド，Ｇフィールド及びＢフィールドでＲ，Ｇ，Ｂの各色成分に対応する画像を順次表示することによって，Ｒ，Ｇ，Ｂ色成分の画像が人間の視覚的な残像現象によって合成されて一つのフレームに対するカラー画像が表示される。
【００４８】
（第２の実施の形態）
図７は第２の実施の形態による液晶表示装置の駆動タイミング図である。図７に示したように，本実施の形態による液晶表示装置は第１グループの走査線に走査信号が上から下方向に順次に印加された後，第２グループの走査線に走査信号を下から上の方向に順次に印加する。前述のように，ＵＤＢ信号を制御することによって走査信号の方向を調節することができる。
【００４９】
第２の実施の形態は，第１グループの走査線に走査信号が上から下方向に順次に印加された後，第２グループの走査線に走査信号を下から上の方向に順次に印加することのみが，第１の実施の形態と異なっており，それ以外については第１の実施の形態と同様であるので，説明を省略する。
【００５０】
前述したように，フィールド順次駆動方式のＬＣＤの特性により，第１走査線と最後走査線との間には大きな輝度の偏差が発生する。また，人の目は，隣接した走査線の間に発生する輝度の差は，空間的に混色になって認識しにくいが，離れた走査線（例えば，第１走査線と最後走査線）での輝度の差は認識しやすい。そのため第１及び第２の実施の形態による駆動方法を使用すると，離れた走査線の間の輝度の差を大きく減少することができる。
【００５１】
次に，図８Ａ〜図８Ｃを参照して第１及び第２の実施の形態による駆動方法を使用する場合の効果について詳細に説明する。ここで，第１走査線Ｓ１の輝度をａとし，液晶表示パネル１００の全走査線数をｎ個とし，そして一つの走査線と一つのデータ線によって定義される画素領域で一つの走査信号を印加する時に発生する輝度差をｄとし，この輝度差は一定であると仮定した。
【００５２】
まず，各走査線に順次に走査信号を印加すれば，各走査線によって形成される画素領域で発生する輝度差は図８Ａのように現れる。そして隣接した走査線で発生する空間的混色が輝度の平均として現れると仮定すれば，図８Ａから図８Ｂを求めることができる。次に，図８Ｂから第１走査線Ｓ１と最後走査線Ｓｎでの輝度差は図８Ｃのように現れる。
【００５３】
図８Ａ〜図８Ｃに示すように，第１の実施の形態による駆動方法を使用すれば，第１走査線Ｓ１と最後走査線での輝度差を従来駆動方法より半分に減らすことができ，第２の実施の形態による駆動方法を使用すれば，第１走査線Ｓ１と最後走査線Ｓｎでの輝度差を完全に除去することができる。
【００５４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００５５】
例えば，本発明は，フィールド順次方式の液晶表示装置だけでなく，カラーフィルター方式の液晶表示装置にも適用することができる。そして本発明の実施の形態においては，複数の走査線を二つのグループに分割すると説明したが，それ以上のグループに分割することもできる。
【産業上の利用可能性】
【００５６】
本発明は，データ線と走査線とによって定義される画素領域に画素回路が形成される液晶表示装置及びその駆動方法に適用可能である。
【図面の簡単な説明】
【００５７】
【図１】従来のフィールド順次方式による液晶表示装置の駆動波形図である。
【図２】図１に示された駆動波形による液晶透過度を示した説明図である。
【図３】第１及び第２の実施の形態によるフィールド順次方式の液晶表示装置を示す説明図である。
【図４】第１及び第２の実施の形態による液晶表示装置の画素回路図である。
【図５】第１の実施の形態による液晶表示装置の駆動波形図である。
【図６】図５に示された駆動波形を生成するための液晶表示装置の走査ドライバを示す説明図である。
【図７】第２の実施の形態による液晶表示装置の駆動波形図である。
【図８Ａ】従来方法，第１の実施の形態，及び第２の実施の形態，各々で，各走査線によって形成される画素領域で発生する輝度差を示す説明図である。
【図８Ｂ】従来方法，第１の実施の形態，及び第２の実施の形態，各々で，隣接した走査線で発生する空間的混色を示す説明図である。
【図８Ｃ】従来方法，第１の実施の形態，及び第２の実施の形態，各々で，第１走査線Ｓ１と最後走査線Ｓｎでの輝度差を示す説明図である。
【符号の説明】
【００５８】
１０      ＴＦＴ
１００      液晶表示パネル
１１０      画素回路
２００      第１走査ドライバ
３００      第２走査ドライバ
４００      データドライバ
５００      タイミング制御器
６００      階調電圧発生部
７００      光源制御器
８００ａ    発光ダイオード
８００ｂ    発光ダイオード
８００ｃ    発光ダイオード
Ｄ１〜Ｄｍ  データ線
Ｓ１〜Ｓｎ  走査線
【図１】
2006139248.tif 000003
【図２】
2006139248.tif 000004
【図３】
2006139248.tif 000005
【図４】
2006139248.tif 000006
【図５】
2006139248.tif 000007
【図６】
2006139248.tif 000008
【図７】
2006139248.tif 000009
【図８Ａ】
2006139248.tif 000010
【図８Ｂ】
2006139248.tif 000011
【図８Ｃ】
2006139248.tif 000012